(57)【特許請求の範囲】
【請求項１】
ストラップを取付可能な電子機器において、
上記ストラップの先端を挿通して取付ける一対の筐体側ストラップ挿通孔及び該一対の筐体側ストラップ挿通孔を隔てる筐体側支柱が形成された筐体と、
少なくとも上記一対の筐体側ストラップ挿通孔の周縁を覆うと共に、該一対の筐体側ストラップ挿通孔に対応する装飾側ストラップ挿通孔を有する装飾部材と、
上記装飾側ストラップ挿通孔の周縁に形成され、上記筐体側ストラップ挿通孔の奥に向かって延び、該筐体側ストラップ挿通孔に挿入された状態で一方の上記筐体側ストラップ挿通孔から挿入された上記ストラップの先端を反対側の上記筐体側ストラップ挿通孔に誘導する誘導リブとを備えている
ことを特徴とする電子機器。
【請求項２】
請求項１に記載の電子機器において、
上記筐体側ストラップ挿通孔における上記誘導リブが当接する位置には、該誘導リブが当接したときに反対側の上記筐体側ストラップ挿通孔に誘導するガイド部が形成されている
ことを特徴とする電子機器。
【請求項３】
請求項２に記載の電子機器において、
上記誘導リブは、上記一対の筐体側ストラップ挿通孔にそれぞれ形成されており、
上記ガイド部は、上記一対の誘導リブの先端が当接して互いに近付く方向に誘導するように構成されている
ことを特徴とする電子機器。
【請求項４】
請求項３に記載の電子機器において、
上記一対の誘導リブの先端には、上記ガイド部における上記筐体側支柱の奥側に形成した嵌合凹部に嵌合する突起がそれぞれ設けられている
ことを特徴とする電子機器。
【請求項５】
請求項２に記載の電子機器において、
上記誘導リブは、上記一対の筐体側ストラップ挿通孔のいずれか一方に形成され、先端に上記一対の筐体側ストラップ挿通孔の他方の周縁に係合する被係合部が形成されている
ことを特徴とする電子機器。
【請求項６】
請求項５に記載の電子機器において、
上記誘導リブの中間部には、くびれ部が形成されており、該くびれ部が上記筐体側支柱の奥側に挿入されるように構成されている
ことを特徴とする電子機器。
【発明の詳細な説明】
【技術分野】
【０００１】
本発明は、ストラップを取付可能な電子機器に関し、特にその外観の改善に関する。
【背景技術】
【０００２】
従来より、スマートフォンや携帯電話機に代表される電子機器は、落下防止、ポケットやかばんからの取り出しの容易化、保持時の安定性の向上、好みのマスコットなどを取り付ける趣味及び嗜好性、名札やマスコットを付けることによる持ち主の認識性向上などのためにストラップ取付構造を設けることが多い。
【０００３】
図７（Ａ）〜（Ｄ）に従来のストラップ取付構造の各例をそれぞれ示す。図７（Ａ）に示すものでは、ストラップを係止する支柱部５０１が電子機器本体から隆起している。この従来例では、ストラップを通しやすいものの、電子機器を持ったときに違和感を感じたり、外観が悪化するという欠点がある。
【０００４】
一方、図７（Ｂ）及び（Ｃ）に示すように、電子機器本体の角部に配置される場合には、ストラップが通されるストラップ挿通孔５０２，５０３が電子機器本体の１つの面ではなく、異なる２つの面にまたがっている。この従来例では、支柱部５０１が隆起せず、ストラップを容易に通すことができるため、スマートフォン、携帯電話機、デジタルカメラ等でよく用いられている。
【０００５】
また、図７（Ｄ）に示すように、角部にストラップ挿通孔を設けることができない場合には、電子機器本体のいずれかの１方向の面にストラップ挿通孔５０４の入口と出口とが開口される。
【０００６】
電子機器にストラップを係止する場合には、電子機器の質量を吊り上げるよりも大きな力が加わっても壊れない必要がある。強度が不足すると、電子機器を取り出す際に引っ掛かりなどがあってストラップを強く引っ張った場合などは、ストラップの係止部が壊れて電子機器がポケットやかばんから飛び出し、機器が破損してしまうこともあり得る。
【０００７】
一方で、デザインの観点から筐体の、主として側面に飾り部品を取り付けることが行われている。例えば、特許文献１の電子機器では、フレームを覆う側面カバーにストラップ挿通孔ストラップを設けている。強度上の観点からも、ストラップを取り付ける支柱は、引っ張り荷重等が加わった場合に対応できる必要な強度を確保するために、強度よりも装飾性を重視する飾り部品（側面カバー）のみではなく、少なくとも一部が筐体（フレーム）で構成されるのが望ましい。
【先行技術文献】
【特許文献】
【０００８】
【特許文献１】特開２００９−８８４９号公報
【発明の概要】
【発明が解決しようとする課題】
【０００９】
しかしながら、特許文献１のようなストラップ取付構造では、側面カバーに設けたストラップ挿通孔からフレームのストラップ挿通孔の周縁やフレームの支柱が見える。そうすると、フレームとそれを装飾する側面カバーとは色調や仕上げが異なることが多いので、見映えが悪くなるという問題がある。
【００１０】
本発明は、かかる点に鑑みてなされたものであり、その目的とするところは、ストラップ挿通孔の奥の外観向上を図ると共に、必要な強度を確保することにある。
【課題を解決するための手段】
【００１１】
上記の目的を達成するために、この発明では、装飾部材に筐体側ストラップ挿通孔の奥に延びる誘導リブを設けた。
【００１２】
具体的には、本発明では、ストラップを取付可能な電子機器を前提とし、
上記電子機器は、
上記ストラップの先端を挿通して取付ける一対の筐体側ストラップ挿通孔及び該一対の筐体側ストラップ挿通孔を隔てる筐体側支柱が形成された筐体と、
少なくとも上記一対の筐体側ストラップ挿通孔の周縁を覆うと共に、該一対の筐体側ストラップ挿通孔に対応する装飾側ストラップ挿通孔を有する装飾部材と、
上記装飾側ストラップ挿通孔の周縁に形成され、上記筐体側ストラップ挿通孔の奥に向かって延び、該筐体側ストラップ挿通孔に挿入された状態で一方の上記筐体側ストラップ挿通孔から挿入された上記ストラップの先端を反対側の上記筐体側ストラップ挿通孔に誘導する誘導リブとを備えている。
【００１３】
上記の構成によると、筐体を装飾部材で覆うときに、誘導リブを筐体側ストラップ挿通孔に挿入する。この状態で、筐体側ストラップ挿通孔の奥側を誘導リブで覆うことにより、奥側と装飾部材の外観が統一されるので、見映えがよくなる。ストラップを挿入するときには、誘導リブがその先端を反対側の筐体側ストラップ挿通孔に誘導するので、挿入が極めて容易である。また、ストラップに掛かる荷重は、剛性の高い筐体側支柱で確実に支持される。
【発明の効果】
【００１４】
以上説明したように、本発明によれば、装飾側ストラップ挿通孔の周縁に、筐体側支柱で隔てられた一対の筐体側ストラップ挿通孔の奥に向かって延び、筐体側ストラップ挿通孔に挿入された状態でストラップの先端を反対側の筐体側ストラップ挿通孔に誘導する誘導リブを設けたことにより、ストラップ挿通孔の奥の外観向上を図ると共に、必要な強度を確保することができる。
【図面の簡単な説明】
【００１５】
【図１】図１（Ａ）は、図２のIA−IA線拡大断面図であり、図１（Ｂ）は、装飾部材を組み付けるときを示す図１（Ａ）相当断面図である。
【図２】実施形態１に係るスマートフォンを背面側から見た斜視図である。
【図３】スマートフォンを示す分解斜視図である。
【図４】実施形態１の変形例に係る図１（Ａ）相当断面図である。
【図５】図５（Ａ）は、実施形態２に係るスマートフォンに係る図１（Ａ）相当断面図であり、図５（Ｂ）は、装飾部材を組み付けるときを示す図５（Ａ）相当断面図である。
【図６】図６（Ａ）は、実施形態２に係るスマートフォンに係る図１（Ａ）相当断面図であり、図６（Ｂ）は、装飾部材を組み付けるときを示す図６（Ａ）相当断面図である。
【図７】図７（Ａ）は、支柱部が隆起する従来例を示す拡大斜視図であり、図７（Ｂ）は、角部にストラップ挿通孔が配置される従来例の１つを示す拡大斜視図であり、図７（Ｃ）は、角部にストラップ挿通孔が配置される他の従来例を示す拡大斜視図であり、図７（Ｄ）は、電子機器本体の１つの側面に一対のストラップ挿通孔が配置される従来例の１つを示す拡大斜視図である。
【図８】図８（Ａ）は、比較例に係る図１（Ａ）相当断面図であり、図８（Ｂ）は、比較例に係る側面図である。
【発明を実施するための形態】
【００１６】
以下、本発明の実施形態を図面に基づいて説明する。
【００１７】
（実施形態１）
図１〜図３は、本発明の実施形態１に係る電子機器としてのスマートフォン１を示し、このスマートフォン１は、例えば、正面側に表示部２を収容可能な筐体３を有する。表示部２は、液晶表示ユニットでも有機ＥＬ表示ユニットでもよく、タッチパネルを含んでいてもよい。筐体３の背面側は、例えば板状のリアカバー４で覆われている。例えば、筐体３の下面及び左右側面がＵ字状の装飾部材５で覆われている。筐体３の背面側には、回路基板６や充電池７が収容されている。なお、スマートフォン１の上面には、イヤホン挿通孔８が形成されたイヤホンカバー９が設けられている。
【００１８】
筐体３は、例えば樹脂成形品よりなり、背面側から見て右側の筐体３には、ストラップ（図示せず）の先端を挿入する一対の筐体側ストラップ挿通孔３ａが形成されている。これら一対の筐体側ストラップ挿通孔３ａの間には、これらを隔てると共に、ストラップの引っ張り荷重を支えるだけの強度を有する筐体側支柱３ｂが一体に形成されている。
【００１９】
そして、装飾部材５は、例えば樹脂成形品よりなり、ボタン、接続端子等の配置のための複数の貫通孔が形成されている。特に図２に示すように、背面側から見て装飾部材５の右側には、ストラップを通すための一対の装飾側ストラップ挿通孔５ａが上下に並んで形成されている。
【００２０】
装飾部材５は、一対の筐体側ストラップ挿通孔３ａの周縁を含むスマートフォン１の左右側壁を覆っており、これら一対の筐体側ストラップ挿通孔３ａに対応する一対の装飾側ストラップ挿通孔５ａが形成されている。これら一対の装飾側ストラップ挿通孔５ａは、筐体側支柱３ｂと同等又はそれよりも面積の大きい装飾側支柱５ｃで互いに隔てられている。
【００２１】
一対の装飾側ストラップ挿通孔５ａの周縁における装飾側支柱５ｃの反対側（上下端部）には、互いに向かい合う方向に延びる誘導リブ５ｂがそれぞれ形成されている。本実施形態の一対の誘導リブ５ｂは、筐体側ストラップ挿通孔３ａの奥に向かって延びる円弧状の片持ち部材であり、図１（Ｂ）に示すように、筐体３に組み付ける前は、互いの先端５ｄの間には、隙間ｘ１が確保されている。この隙間ｘ１は、筐体側支柱３ｂの幅ｙよりも大きくなっている（ｘ１＞ｙ）。誘導リブ５ｂの基端側には、先端５ｄの開閉動作を容易にするくびれ部５ｅが形成されている。図１（Ａ）及び図１（Ｂ）に示すように、装飾側支柱５ｃの幅ｚは、筐体側支柱３ｂの幅ｙよりも若干広くなっている（ｚ＞ｙ）。
【００２２】
一方、筐体側ストラップ挿通孔３ａにおける誘導リブ５ｂが当接する位置には、この誘導リブ５ｂが当接したときに反対側の筐体側ストラップ挿通孔３ａに誘導するガイド部３ｃが形成されている。ガイド部３ｃの断面形状は特に限定されないが、本実施形態では、一対の誘導リブ５ｂの先端５ｄが当接して互いに近付く方向に誘導するように、左右奥側に向かって互いに近付くような傾斜面を有している。そして、装飾部材５が筐体３に組み付けられたときに、互いの先端５ｄの距離が隙間ｘ２（ｘ２＜ｘ１）となるように近付き、ほぼ半円形の断面を形成するようになっている。一対の誘導リブ５ｂは半円形状となって、いずれか一方の筐体側ストラップ挿通孔３ａから挿入されたストラップの先端を反対側の筐体側ストラップ挿通孔３ａに誘導するように構成されている。
【００２３】
このように構成したことにより、図１（Ｂ）に示すように、筐体３を装飾部材５で覆うときには、一対の誘導リブ５ｂの先端５ｄを筐体側支柱３ｂを避けるように筐体側ストラップ挿通孔３ａに挿入する。このとき、一対の誘導リブ５ｂ間の隙間ｘ１は、筐体側支柱３ｂよりも広いので、挿入が容易である。
【００２４】
さらに誘導リブ５ｂの先端５ｄを筐体側ストラップ挿通孔３ａの奥に挿入すると、ガイド部３ｃの傾斜面にそれぞれ当接し、一対の誘導リブ５ｂの先端５ｄは互いに近付く。このようにして一対の誘導リブ５ｂの先端５ｄが互いに近付いてより狭い隙間ｘ２となる。このとき、隙間ｘ２は０となってもよい。このようにすることで、段差をできるだけ防いでストラップを挿入したときに段差でストラップが引っ掛からないようにすることができる。
【００２５】
そして、装飾部材５の取付後は、筐体側支柱３ｂがその幅ｙよりも若干幅ｚの大きい装飾側支柱５ｃで覆われるので、筐体側支柱３ｂが外観に現れないようにすることができる。そして、筐体側ストラップ挿通孔３ａの奥側を誘導リブ５ｂで覆うことにより、奥側と装飾側支柱５ｃの外観が統一されるので、見映えがよくなる。隙間ｘ２が若干残っていても、装飾側支柱５ｃで隠れるので、見映えが悪化しない。
【００２６】
そのことは、図８（Ａ）及び図８（Ｂ）で示す比較例と比較することで明確である。すなわち、この比較例に係る筐体６０３においては、ガイド部３ｃが形成されておらず、挿通孔底部６０３ｃが装飾側支柱６０５ｃで隔てられた装飾側ストラップ挿通孔６０５ａから覗いている。誘導リブ６０５ｂが設けられている場合には、誘導リブ６０５ｂと装飾側ストラップ挿通孔６０５ａの周縁とは、同じ材質であるので、見映え上問題がないが、筐体６０３の色彩や仕上げが装飾部材６０５の色彩や仕上げと異なる場合、分割線６０６が装飾側ストラップ挿通孔６０５から見え、外観の統一感が損なわれて見映えに影響を与える。一方で、上述したように、本実施形態では、このような見映えの悪化が発生しない。
【００２７】
また、ストラップの取付け強度は主に筐体側支柱３ｂによって確保されているため、装飾側支柱５ｃはなくてもよい。この場合、誘導リブ５ｂによって装飾部材５とストラップ挿通孔内部の色彩や仕上げが統一され、見映え上問題がないが、筐体側支柱３ｂの色彩や仕上げが装飾部材５の色彩や仕上げと異なる場合は外観の統一性が損なわれる。一方、上述した本実施形態では、装飾部材５と一体的に形成された装飾側支柱５ｃによって外観の統一が図られ、より見映えがよい。
【００２８】
そして、本実施形態では、誘導リブ５ｂがストラップの先端５ｄを半円形状の内周面で反対側の筐体側ストラップ挿通孔３ａに誘導するので、ストラップの挿入が極めて容易である。
【００２９】
したがって、本実施形態に係るスマートフォン１によると、筐体側ストラップ挿通孔３ａの奥の外観向上を図ることができると共に、必要な強度を確保しながら、ストラップを通しやすくすることができる。
【００３０】
−変形例−
図４は本発明の実施形態１の変形例を示し、誘導リブ５ｂ及びガイド部３ｃの形状が異なる点で上記実施形態１と異なる。なお、本変形例及び以下の各実施形態では、図１〜図３と同じ部分については同じ符号を付してその詳細な説明は省略する。
【００３１】
本変形例では、一対の誘導リブ５ｂの先端５ｄに、ガイド部３ｃにおける筐体側支柱３ｂの奥側に形成した嵌合凹部３ｃ’に嵌合する突起５ｄ’がそれぞれ設けられている。この構成によると、一対の誘導リブ５ｂの突起５ｄ’が嵌合凹部３ｃ’に嵌合することにより、先端５ｄ同士ができるだけ近付いた状態で固定される。このため、一方の筐体側ストラップ挿通孔３ａから挿入したストラップの先端５ｄが、より滑らかに反対側の筐体側ストラップ挿通孔３ａに誘導される。
【００３２】
（実施形態２）
図５は本発明の実施形態２を示し、誘導リブ１０５ｂが１つだけ設けられている点で上記実施形態１と異なる。
【００３３】
すなわち、本実施形態の誘導リブ１０５ｂは、一対の筐体側ストラップ挿通孔３ａのいずれか一方に形成され、先端に一対の筐体側ストラップ挿通孔３ａの他方の周縁に形成した係合凹部１０３ｄに係合する鉤状の被係合部１０５ｆが形成されている。
【００３４】
この構成によると、誘導リブ１０５ｂが片持ちの場合であっても、誘導リブ１０５ｂの先端１０５ｄの被係合部１０５ｆを反対側の筐体側ストラップ挿通孔３ａの周縁の係合凹部１０３ｄに係合させることで、誘導リブ１０５ｂを固定できる。
【００３５】
本実施形態では、誘導リブ１０５ｂの根元のくびれ部５ｅだけでなく、その中間部にも、中間くびれ部１０５ｅが形成されている。この中間くびれ部１０５ｅがあることで、誘導リブ１０５ｂが片持ちの長い場合でも、その中間部で折れ曲がりやすくなっている。
【００３６】
本実施形態のガイド部１０３ｃは、片持ちとなっているので、筐体側支柱３ｂを避けながら筐体側ストラップ挿通孔３ａにその先端から挿入可能となっている。装飾部材１０５を筐体３に組み付けるときに、誘導リブ１０５ｂの先端１０５ｄが、まずガイド部１０３ｃに当接し、中間くびれ部１０５ｅを中心に徐々に折れ曲がり、最終的に被係合部１０５ｆが係合凹部１０３ｄに引っ掛かるように固定される。その状態で装飾部材１０５の内面が被係合部１０５ｆの係合凹部１０３ｄと反対側の面に当接して誘導リブ１０５ｂが押さえ付けられる。このため、誘導リブ１０５ｂが安定する。
【００３７】
このように固定された誘導リブ１０５ｂに沿って一方の筐体側ストラップ挿通孔３ａから挿入されたストラップの先端が確実に反対側の筐体側ストラップ挿通孔３ａに誘導される。
【００３８】
このため、本実施形態では、一方の筐体側ストラップ挿通孔１０３ａに設けられた誘導リブ１０５ｂが中間くびれ部１０５ｅで折れ曲がった状態で、ガイド部１０３ｃにより反対側の筐体側ストラップ挿通孔３ａに誘導される。中間くびれ部１０５ｅは、筐体側支柱３ｂの奥側に位置することで、かりに中間くびれ部１０５ｅの裏側に段差等が生じていても外観に現れることはない。
【００３９】
（実施形態３）
図６は本発明の実施形態３を示し、筐体側ストラップ挿通孔２０３ａ，誘導リブ２０５ｂ，ガイド部の形状が異なる点で上記実施形態１及び２と異なる。
【００４０】
本実施形態の筐体側ストラップ挿通孔２０３ａは、筐体２０３の角部に配置され、筐体２０３の直交する２つの側面にそれぞれ開口している。
【００４１】
ガイド部は、一対の筐体側ストラップ挿通孔２０３ａの奥側側壁に形成された断面円弧状内面よりなる。筐体側支柱２０３ｂは、筐体２０３の角部に形成されている。
【００４２】
これらに対応させて装飾部材２０５の角部に装飾側支柱２０５ｃが形成され、その両側に一対の装飾側ストラップ挿通孔２０５ａが形成されている。誘導リブ２０５ｂは、左右側壁側の装飾側ストラップ挿通孔２０５ａの下側縁部に連続して一体に形成された、中心角が９０°の円弧状断面を有し、先端に被係合部２０５ｆが形成されている。この被係合部２０５ｆが上側の筐体側ストラップ挿通孔２０３aの周縁に形成した係合凹部２０３ｄに係合するようになっている。
【００４３】
本実施形態においては、全体として簡単な構成となるが、同様に装飾側ストラップ挿通孔２０５ａからは、誘導リブ２０５ｂが見えるだけで、装飾側支柱２０５ｃと同じ材質及び仕上げであり、見映えが極めてよくなっている。
【００４４】
なお、本実施形態の筐体側ストラップ挿通孔２０３ａは、筐体２０３の角部に配置され、筐体２０３の直交する２つの側面にそれぞれ開口しているとしたが、２つの側面は必ずしも直交している必要はない。例えば、上側面の左右方向中央部が、上方向に突出した円弧状であって、左右方向側面と鈍角に交わっていてもよい。
【００４５】
また、誘導リブ２０５ｂの中心角は９０°であるとしたが、これに限定されず、例えば上記の例では９０°以上の角度であってもよい。
【００４６】
（その他の実施形態）
本発明は、上記実施形態について、以下のような構成としてもよい。
【００４７】
すなわち、上記実施形態では、誘導リブ５ｂ，１０５ｂ，２０５ｂの形状は、円弧状の物を示したが、多角形状や楕円形状であってもよい。
【００４８】
また、上記実施形態では、装飾側ストラップ挿通孔５ａ，２０５ａは、一対設けたが、装飾側支柱５ｃ，２０５ｃがなく、１つで構成されているものでもよい。
【００４９】
上記実施形態では、電子機器は、スマートフォン１としたが、携帯電話機、タブレット端末、ＰＨＳ（Personal Handy-phone System ）、ＰＤＡ(Personal Digital Assistant)、パソコン、モバイルツール、ウェアラブル端末、電子辞書、電卓、ゲーム機等であってもよく、小型の液晶ディスプレイ、液晶テレビ、ブルーレイディスクレコーダ、ＤＶＤレコーダ等であってもよい。
【００５０】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００５１】
１      スマートフォン（電子機器）
２      表示部
３      筐体
３ａ    筐体側ストラップ挿通孔
３ｂ    筐体側支柱
３ｃ    ガイド部
３ｃ'  嵌合凹部
４      リアカバー
５      装飾部材
５ａ    装飾側ストラップ挿通孔
５ｂ    誘導リブ
５ｃ    装飾側支柱
５ｄ    先端
５ｄ'  突起
５ｅ    くびれ部
６      回路基板
７      充電池
８      イヤホン挿通孔 
９      イヤホンカバー 
１０３ａ    筐体側ストラップ挿通孔
１０３ｃ    ガイド部
１０３ｄ    係合凹部
１０５ｂ    誘導リブ
１０５ｄ    先端
１０５ｅ    くびれ部
１０５ｆ    被係合部
２０３      筐体
２０３ａ    筐体側ストラップ挿通孔
２０３ｂ    筐体側支柱
２０３ｄ    係合凹部
２０５      装飾部材
２０５ａ    装飾側ストラップ挿通孔
２０５ｂ    誘導リブ
２０５ｃ    装飾側支柱
２０５ｆ    被係合部
【図１】
0006513489.tif 000002
【図２】
0006513489.tif 000003
【図３】
0006513489.tif 000004
【図４】
0006513489.tif 000005
【図５】
0006513489.tif 000006
【図６】
0006513489.tif 000007
【図７】
0006513489.tif 000008
【図８】
0006513489.tif 000009